(57)【特許請求の範囲】
【請求項１】
荷卸し場所とタンクローリー車の間でタンクへの荷卸しに関するデータを送受信するための持ち運び可能な通信ユニットを用いたタンクへの荷卸し設備において、
通信ユニットがタンクローリー車に設けた通信ユニット受けに戻されている場合はオン状態となり、通信ユニットが通信ユニット受けに戻されていない場合はオフ状態となるスイッチを、タンクローリー車のエンジン系統の電気回路に直列に設け、
通信ユニットが通信ユニット受けに戻されていない場合は、タンクローリー車のエンジンを始動させることができないようにしたタンクへの荷卸し設備。
【請求項２】
荷卸し場所とタンクローリー車の間でタンクへの荷卸しに関するデータを送受信するための持ち運び可能な通信ユニットを用いたタンクへの荷卸し設備において、
通信ユニットを収納するための収納ケースを荷卸し場所に設けるとともに、収納ケース内に通信ユニットを載置する通信ユニット受けを設け、さらに、通信ユニット受けに回転プレートを回転可能に設け、
通信ユニットを通信ユニット受けに載置していない状態では、回転プレートは収納ケース内に収納され、
通信ユニットを通信ユニット受けに載置している状態では、回転プレートの基端が通信ユニットによって押されて回転プレートが回転し、回転プレートの先端が収納ケースの外側に突出して、収納ケースの扉が閉まらないようにしたタンクへの荷卸し設備。
【発明の詳細な説明】
【０００１】
【発明の属する技術分野】
本発明は、タンクローリー車の運転者が単独で液体の荷卸しをするための荷卸し設備に関する。
【０００２】
【従来の技術】
本願出願人は、先に特願２００１−２７２５８０において、タンクローリー車からタンクへの荷卸しに関わるデータを送受信するための持ち運び可能な通信ユニットと、この通信ユニットが送受信したデータに基づきタンクへの荷卸しを制御する制御部とを有する荷卸し設備を開示している。この荷卸し設備によれば、通信ユニットを持ち運び可能な可搬式にしたため、タンクローリー車への取付工事が不要となる等の利点がある。
【０００３】
【発明が解決しようとする課題】
しかし、その反面以下のような問題がある。
【０００４】
１．万一、タンクローリー車の運転手が通信ユニットを携行しないまま荷卸し場所に行ってしまった場合、液面計側通信ユニットからのタンク情報を受信することができないためタンクへの単独荷卸しが行えず、再度出直しを行う等大きな無駄が生じる。
【０００５】
２．荷卸し場所に通信ユニットを置き忘れてしまった場合、次の荷卸しの場所での荷卸しができず、同ユニットを取りに戻る等の無駄が生じる。
【０００６】
３．携行忘れおよび置き忘れ等が生じると計画通りの配送ができなくなり、大きな利益の損失となる。
【０００７】
そこで、本発明が解決しようとする課題は、通信ユニットの荷卸し場所への置き忘れおよびタンクローリー車への搭載忘れを防止することのできるタンクへの荷卸し設備を提供することにある。
【０００８】
【課題を解決するための手段】
この課題を解決するために、本発明は、荷卸し場所とタンクローリー車の間でタンクへの荷卸しに関するデータを送受信するための持ち運び可能な通信ユニットを用いたタンクへの荷卸し設備において、通信ユニットがタンクローリー車に設けた通信ユニット受けに戻されている場合はオン状態となり、通信ユニットが通信ユニット受けに戻されていない場合はオフ状態となるスイッチを、タンクローリー車のエンジン系統の電気回路に直列に設け、通信ユニットが通信ユニット受けに戻されていない場合は、タンクローリー車のエンジンを始動させることができないようにしたことを特徴とする。
【０００９】
また、本発明は、荷卸し場所とタンクローリー車の間でタンクへの荷卸しに関するデータを送受信するための持ち運び可能な通信ユニットを用いたタンクへの荷卸し設備において、通信ユニットを収納するための収納ケースを荷卸し場所に設けるとともに、収納ケース内に通信ユニットを載置する通信ユニット受けを設け、さらに、通信ユニット受けに回転プレートを回転可能に設け、通信ユニットを通信ユニット受けに載置していない状態では、回転プレートは収納ケース内に収納され、通信ユニットを通信ユニット受けに載置している状態では、回転プレートの基端が通信ユニットによって押されて回転プレートが回転し、回転プレートの先端が収納ケースの外側に突出して、収納ケースの扉が閉まらないようにしたことを特徴とする。
【００１０】
【発明の実施の形態】
以下、本発明の実施の形態を図面に示す実施例に基づき説明する。
実施例１
図１は、本発明のタンクへの荷卸し設備の一構成要素であるタンクローリー車の概略側面図である。タンクローリー車Ａには通信ユニット１を収納するための通信ユニット受け７と制御部としてのコンピュータ８とを設けている。通信ユニット１は、給油所等の荷卸し場所にあるタンクのデジタル油面計指示電源部（図示せず）からの液面レベル、油種、タンク番号等の荷卸しに関わるデータを受信し、これをコンピュータ８に送信する。コンピュータ８は、受信したタンク情報に基づき、給油バルブ（図示せず）の開閉等を自動的に制御し、これによって、運転者単独での荷卸しが可能となっている。
【００１１】
図２は、通信ユニット受けへの通信ユニットの収納状態を示す縦断面図である。同図に示すように、通信ユニット受け７の底面にはスイッチ９を設けており、スイッチ９は、通信ユニット１の有無によって、オン状態とオフ状態とが切り替わる。
【００１２】
図３は、本実施例におけるタンクローリー車のエンジン系統の電気回路の概念図である。
【００１３】
図３に示すように、スイッチ９は、タンクローリー車のバッテリー１０とエンジンキースイッチ１１とエンジン駆動装置１２とをつなぐ電気回路に直列に設けられている。また、本実施例においてスイッチ９は、通信ユニット受け７に通信ユニット１を収納しない状態（図２（ａ）の状態）ではオフ状態となり、通信ユニット受け７に通信ユニット１を収納した状態（図２（ｂ）の状態）ではオン状態となるように設定されている。
【００１４】
このような構成にすることで、通信ユニット受け７に通信ユニット１を収納しない状態では、エンジン系統の電気回路は切断されるので、エンジンキーによってエンジンキースイッチ１１をオン状態にしてもエンジンを始動させることができない。したがって、タンクローリー車の運転者は、通信ユニット１のタンクローリー車への搭載忘れに気付くことができる。
【００１５】
また、図示の構成に加えて、通信ユニット受け７に通信ユニット１を収納しない状態でエンジンキースイッチ１１をオン状態としたときに、警報機を作動させる回路を設けてもよい。これによって、タンクローリー車の運転者は、より確実に通信ユニット１のタンクローリー車への搭載忘れに気付くことができる。
【００１６】
実施例２
図４は、本発明の他の実施例の収納ケースの概略縦断面図である。同図に示すように、本実施例では、収納ケース２の通信ユニット受け３に、突起物としての回転プレート１４を設けている。回転プレート１４は、通信ユニット受け３に回転可能に取り付けており、図４（ａ）に示すように通信ユニット１を収納しないときには、その基端部が通信ユニット受け３の上方に突出した状態でその全体が収納ケース２内に収納される。一方、図４（ｂ）のように通信ユニット１を通信ユニット受け３に載置し収納すると、回転プレート１４の基端に通信ユニット１が接触してこれを下方に押すことによって回転プレート１４が回転し、その先端が収納ケース２の外に突出する。これによって、収納ケース２の扉は閉まらなくなる。また、回転プレート１４の先端部分には「置き忘れ注意」等と明記している。
【００１７】
このような構成とすることで、荷卸し場所の収納ケース２に通信ユニット１を収納しているときは、収納ケース２の扉を閉めることができず、しかも回転プレート１４の先端部分が収納ケース２から突出して目立つので、通信ユニット１の荷卸し場所への置き忘れに気付くことができる。
【００１８】
【発明の効果】
本発明は、以下の効果を奏する。
【００１９】
１．通信ユニットの携行忘れ及び荷卸し場所への置き忘れが解消され作業の無駄が皆無となった。
【００２０】
２．ガソリン等の計画通りの配送が可能となり、利益の損失が皆無となった。
【図面の簡単な説明】
【図１】  本発明のタンクへの荷卸し設備の一構成要素であるタンクローリー車の概略側面図である。
【図２】  通信ユニット受けへの通信ユニットの収納状態を示す縦断面図である。
【図３】  本発明におけるタンクローリー車のエンジン系統の電気回路の概念図である。
【図４】  本発明の他の実施例の通信ユニット受けの概略縦断面図である。
【符号の説明】
１  通信ユニット
２  収納ケース
３  通信ユニット受け
７  通信ユニット受け
８  コンピュータ（制御部）
９  スイッチ
１０  バッテリー
１１  エンジンキースイッチ
１２  エンジン駆動装置
１４  回転プレート（突起物）
【図１】
0003694488.tif 000002
【図２】
0003694488.tif 000003
【図３】
0003694488.tif 000004
【図４】
0003694488.tif 000005